(57)【要約】      （修正有）【課題】ピックアップエラーやエンボス部同士の嵌まり込みが無く、トップテープとのたわみを抑え、安定した収納とリールへの巻き取りが可能な電子部品が収納されたエンボスキャリアテープを提供する。【解決手段】エンボス部の辺部１１に側壁棚１７を有し、コーナー部１２にコーナー壁１６を有し、コーナー壁の傾斜角は側壁棚上部の傾斜角より小さく、少なくともコーナー部底部外形寸法ｂがコーナー部開口寸法ａよりも大きく、対向する側壁棚間寸法ｃが収納する電子部品の縦及び横の大きさｅよりそれぞれ大きく、且つ側壁棚から対向する側壁棚の縁部間の寸法は電子部品の縦及び横の大きさより小さく、且つ又電子部品端面から対向する最外端子外側迄の寸法ｆより大きい、電子部品が収納されたエンボスキャリアテープ。【選択図】  図１
2005029188.tif 000002
【特許請求の範囲】
【請求項１】
可撓性を有するテープ状物体の長手方向に一定の間隔で配置された電子部品収納用エンボス部を有する電子部品収納用エンボスキャリアテープにおいて、エンボス部のコーナー部（１２）を除くエンボス辺部（１１）に側壁棚（１７）を有し、コーナー部（１２）にはコーナー壁（１６）を有し、コーナー壁（１６）の傾斜角（β）は側壁棚上部（１３）の傾斜角（α）より小さく、少なくともコーナー部底部外形寸法（ｂ）がコーナー部開口寸法（ａ）よりも大きく、対向する側壁棚間寸法（ｃ）が収納する電子部品の縦及び横の大きさ（ｅ）よりそれぞれ大きく且つ側壁棚（１７）から対向する側壁棚の縁部（１４）迄の寸法（ｄ）は電子部品の縦及び横の大きさ（ｅ）よりそれぞれ小さく、且つ又電子部品端面から対向する最外端子外側迄の寸法（ｆ）より大きく、電子部品（２）を前記側壁棚上部（１３）で電子部品側面を支持することにより電子部品（２）をエンボス部中心に収納し、前記側壁棚（１７）で電子部品底面を支持することによりエンボス部のコーナー部（１２）、側壁棚の縁部（１４）及び底面（１５）が電子部品（２）と接触しないことを特徴とする電子部品の収納されたエンボスキャリアテープ。
【請求項２】
前記エンボス部の開口部形状はコーナー部に逃がし形状を有さない請求項１記載の電子部品の収納されたエンボスキャリアテープ。
【発明の詳細な説明】
【０００１】
【発明の属する技術分野】
本発明は電子部品の包装、及び搬送に用いられる電子部品が収納されたエンボスキャリアテープに関するものである。
【０００２】
【従来の技術】
ＢＧＡ（Ｂａｌｌ  Ｇｒｉｄ  Ａｒｒａｙ  Ｐａｃｋａｇｅ）パッケージ等の電子部品の収納に用いられるエンボスキャリアテープは一般に、図３に示す様にエンボス部の側壁に載置棚を設けた形状（例えば特許文献１、特許文献２参照。）、あるいは図４に示す様なエンボス部の側壁に前記電子部品底面の四辺を支持する傾斜面を鉛直面に対して鋭角で交差して底面に連なって形成する形状（例えば特許文献３参照。）で行われていた。
しかしながら、特許文献１や特許文献２に示されるようなエンボス部の側壁に載置棚を設けた形状の場合は、図６に示す様に、リールへの巻き取り時に上層のエンボス部が下層のエンボス部に嵌まり込み易く、安定したリールへの巻き取りが行われず、前記キャリアテープを引き出す際のキャリアテープ切れにつながる事が有った。又、前記電子部品を収納する時には電子部品が回転し、エンボス部中心に安定した収納が行われない場合があり、ピッキングのエラーにつながる事がしばしばあった。更に、電子部品底面の頂点がエンボス部に接触する為、エンボス部表面層が剥がれて、電子部品へのゴミ付着につながる事も有った。
特許文献３に示される様なエンボス部の側壁に前記電子部品底面の四辺を支持する傾斜面を鉛直面に対して鋭角で交差して内底面に連なって形成する形状の場合も、リールへの巻き取り時に上層のエンボス部が下層のエンボス部に嵌まり込み易く、安定したリールへの巻き取りが行われなかった。又、強度及びハンドリング時の安全上の理由で、エンボス部の縦方向及び横方向の側壁が直交するコーナー部には、Ｒ（角の丸み）を設ける必要がある為、比較的角の有る前記電子部品の場合、電子部品底面の頂点がエンボス部のコーナー部に接触することになり、電子部品底面の四辺とエンボス部側壁の傾斜面との間には隙間が生じ、安定したサポート収納が行われなかった。
更に、図５及び特許文献４に示す様に、エンボス部のコーナー部をＲ状に湾曲面とし、該Ｒ条湾曲面を一方向又は両方向に逃がした形状の場合でも、リールへの巻き取り時に上層のエンボス部が下層のエンボス部に嵌まり込み易く、安定したリールへの巻き取りが行われず、又電子部品収納用エンボスキャリアテープの幅及び長手方向のエンボス部の間隔が大きくなり、コストアップにつながる事があった。
【０００３】
【特許文献１】
特開平０８−１１９３０号公報  図１
【特許文献２】
特開平１０−１２００７５号公報  図１
【特許文献３】
特開２０００−３３９６９号公報、図１
【特許文献４】
特開２０００−３３９６９号公報、図３及び図４
【０００４】
【発明が解決しようとする課題】
本発明は、従来問題となっていたピッキングエラーやエンボス部同士の嵌まり込み等の無い、安定した電子部品の収納とリールへの巻き取りが可能な電子部品収納用エンボスキャリアテープを提供するものである。
【０００５】
【課題を解決するための手段】
本発明は、
＜１＞  可撓性を有するテープ状物体の長手方向に一定の間隔で配置された電子部品収納用エンボス部を有する電子部品収納用エンボスキャリアテープにおいて、エンボス部のコーナー部（１２）を除くエンボス辺部（１１）に側壁棚（１７）を有し、コーナー部（１２）にはコーナー壁（１６）を有し、コーナー壁（１６）の傾斜角（β）は側壁棚上部（１３）の傾斜角（α）より小さく、少なくともコーナー部底部外形寸法（ｂ）がコーナー部開口寸法（ａ）よりも大きく、対向する側壁棚間寸法（ｃ）が収納する電子部品の縦及び横の大きさ（ｅ）よりそれぞれ大きく且つ側壁棚（１７）から対向する側壁棚の縁部（１４）迄の寸法（ｄ）は電子部品の縦及び横の大きさ（ｅ）よりそれぞれ小さく、且つ又電子部品端面から対向する最外端子外側迄の寸法（ｆ）より大きく、電子部品（２）を前記側壁棚上部（１３）で電子部品側面を支持することにより電子部品（２）をエンボス部中心に収納し、前記側壁棚（１７）で電子部品底面を支持することによりエンボス部のコーナー部（１２）、側壁棚の縁部（１４）及び底面（１５）が電子部品（２）と接触しないことを特徴とする電子部品が収納されたエンボスキャリアテープ、
・  前記エンボス部の開口部形状はコーナー部に逃がし形状を有さない（１）記載の電子部品が収納されたエンボスキャリアテープ、
である。
【０００６】
【発明の実施の形態】
以下、本発明の一実施例を示す図１に基づいて説明する。
本発明は、ＢＧＡ（Ｂａｌｌ  Ｇｒｉｄ  Ａｒｒａｙ  Ｐａｃｋａｇｅ）パッケージ等の電子部品（２）の収納に用いられる
電子部品収納用エンボスキャリアテープ（１）であり、エンボス部のコーナー部（１２）を除くエンボス辺部（１１）に傾斜角（α）の側壁棚上部（１３）と側壁棚（１７）と側壁棚下部（１８）とを有する。対向する側壁棚寸法（ｃ）は電子部品の縦及び横の大きさ（ｅ）よりそれぞれ大きく、且つ側壁棚（１７）から対向する側壁棚の縁部（１４）迄の寸法（ｄ）は電子部品の縦及び横の大きさ（ｅ）よりそれぞれ小さく、且つ電子部品端面から対向する最外端子外側迄の寸法（ｆ）より大きく、側壁棚上部（１３）で電子部品（２）側面を支持することにより電子部品（２）をエンボス部中心に収納し、且つ側壁棚（１７）で電子部品底面を支持することによりエンボス部のコーナー部（１２）、側壁棚の縁部（１４）及び底面（１５）が電子部品（２）と接触しない形状である為、電子部品（２）の安定挿入及びピックアップが容易に行える。
そして、前記エンボス部のコーナー部（１２）には、コーナー壁（１６）を有し、コーナー壁の傾斜角（β）は側壁棚上部（５）の傾斜角（α）よりも小さく、最小の抜きテーパーの値とすれば良い。更にコーナー壁（１６）の下部肉厚を上部より薄くすることで、外側の抜きテーパーを維持しながら内側の傾斜角である（β）を逆テーパーとすることも可能である。従って、コーナー壁（１６）は、底面（１５）に対しほぼ垂直であることが望ましい。こうすることにより、ソーナー部（１２）においては、抜きテーパーによる開口部の広がりが、エンボス部の肉厚よりも小さくなり、結果的にコーナー部底部外形寸法（ｂ）がコーナー部開口寸法（ａ）よりも大きくなる為、リールへの巻き取り時に上層のエンボス部が下層のエンボス部に嵌まり込まない。図２は、本発明の電子部品収納用エンボスキャリアテープのリールへの巻き取り時の上層のエンボス部と下層のエンボス部の各部寸法関係を側断面から見た場合を示す。
又、本発明では、特許文献３の形状の様に、コーナー部に電子部品を支える部分を有しない為、エンボス部の開口部形状は特許文献４の様にコーナー部（１２）に逃がし形状を設ける必要が無い。従って、比較的単純な大略正方形あるいは長方形の形状で良い為、開口部面積を小さく出来る。特にトップテープのシールエリア（Ｇ）を確保し、且つ電子部品収納用エンボスキャリアテープの幅（Ｗ）及び長手方向のエンボス部間隔（Ｐ１）を狭くすることが可能であり、電子部品収納用エンボスキャリアテープを低コストで提供することが出来る。
【０００７】
【発明の効果】
以上のように本発明によると、電子部品とエンボス部のコーナー部、側壁棚の縁部及び底面を接触させずに電子部品底面を側壁棚で、且つ電子部品側面を側壁棚上部で支持することにより電子部品をエンボス部の中心に安定して収納することが出来る。又、上層のエンボス部が下層のエンボス部に嵌まり込む現象が生じることなく、リールへの巻き取りが可能となる。
更に、トップテープのシールエリアを十分に確保し、且つ電子部品収納用エンボスキャリアテープの幅及び長手方向のエンボス間隔を狭くすることにより低コスト化が図れ、又トップテープのシール間隔を狭くすることで、トップテープとのたわみを小さく出来、その結果、電子部品が電子部品収納用エンボスキャリアテープとの隙間に入り込む現象の生じることが無い電子部品収納用エンボスキャリアテープを提供することが出来る。
【図面の簡単な説明】
【図１】本発明の一実施例である電子部品収納用エンボスキャリアテープの平面図、側断面図及び底面図
【図２】本発明の一実施例である電子部品収納用エンボスキャリアテープのエンボス部の重なり（嵌まり込み）状態の側断面
【図３】従来の電子部品収納用エンボスキャリアテープの一例を示す平面図及び側断面図
【図４】従来の電子部品収納用エンボスキャリアテープの他の例を示す平面図及び側断面図
【図５】従来の電子部品収納用エンボスキャリアテープの他の例を示す平面図及び側断面図
【図６】従来の電子部品収納用エンボスキャリアテープのエンボス部の重なり（嵌まり込み）状態の側断面
【符号の説明】
１  電子部品収納用エンボスキャリアテープ
２  電子部品
１１  エンボス辺部
１２  コーナー部
１３  側壁棚上部
１４  側壁棚の縁部
１５  底面
１６  コーナー壁
１７  側壁棚
１８  側壁棚下部
α  側壁棚上部の傾斜角
β  コーナー壁の傾斜角
ａ  コーナー部開口寸法
ｂ  コーナー部底部外形寸法
ｃ  対向する側壁棚間寸法
ｄ  側壁棚から対向する側壁棚の縁部迄の寸法
ｅ  電子部品の縦及び横の大きさ
ｆ  電子部品端面から対向する最外端子外側迄の寸法
Ｗ  電子部品収納用エンボスキャリアテープの幅
Ｐ１  長手方向のエンボス部間隔
Ｇ  トップテープのシールエリア
【図１】
2005029188.tif 000003
【図２】
2005029188.tif 000004
【図３】
2005029188.tif 000005
【図４】
2005029188.tif 000006
【図５】
2005029188.tif 000007
【図６】
2005029188.tif 000008